(57)【要約】【課題】巻真パイプ周りのメンテナンスに優れた携帯時計を提供する。【解決手段】胴１３に設けられるパイプ取付け孔１７を、胴外面１３ｂに開口する弾性体収容孔部１７ｃを有した段付き構造とする。胴１３に着脱できるように取付けられる巻真パイプ２１を、胴１３の外側からパイプ取付け孔１７に出し入れ可能に遊挿されて胴１３の内側に配置される胴内側端部２３ａを有した挿入部２３と、胴１３の外側に配置される胴外側端部２４と、これら挿入部２３と胴外側端部２４間に設けられた鍔部２２とを有した構成とする。弾性体収容孔部１７ｃの奥面１７ｄと鍔部２２とで圧縮状態に挟まれて弾性体収容孔部１７ｃに収容されたコイルスプリング（弾性体）２７で、巻真パイプ２１を胴外側に向けて付勢し、かつ、胴内側端部２３ａの係合溝２５にパイプストッパ２６を取外し可能に係合して巻真パイプ２１の抜け止めする。【選択図】    図２
2004271364.tif 000002
【特許請求の範囲】
【請求項１】
胴外面に開口する弾性体収容孔部を有した段付きのパイプ取付け孔が設けられた胴と、
この胴の外側から前記パイプ取付け孔に出し入れ可能に遊挿されているとともに前記胴の内側に配置される胴内側端部を有した挿入部、前記胴の外側に配置される胴外側端部、及びこれら挿入部と胴外側端部間に設けられた鍔部を有する巻真パイプと、
前記弾性体収容孔部の奥面と前記鍔部とで圧縮状態に挟まれて前記弾性体収容孔部に収容され、前記巻真パイプを胴外側に向けて付勢する弾性体と、
前記胴内側端部に設けられた係合溝に取外し可能に係合されて前記巻真パイプの抜け止めをするパイプストッパと、
を具備している携帯時計。
【請求項２】
前記鍔部が前記胴の当たり面に接しているとともに、前記パイプストッパが前記胴の胴内面に接していて、これら鍔部とパイプストッパとが前記パイプ取付け孔の周りを前記胴の内外から挟んでいる、請求項１に記載の携帯時計。
【請求項３】
前記弾性体がコイルスプリングである、請求項１又は２に記載の携帯時計。
【請求項４】
前記弾性体がゴム製パッキングである、請求項１から３の内のいずれか１項に記載の携帯時計。
【発明の詳細な説明】
【０００１】
【発明の属する技術分野】
本発明は、胴に対する巻真パイプの取付け構造を改良した携帯時計に関する。
【０００２】
【従来の技術】
一般に、携帯時計の胴のパイプ取付け孔を貫通する巻真パイプは、ろう付けにより胴に固定されている（例えば特許文献１参照。）。
【０００３】
又、胴のパイプ取付け孔を貫通した巻真パイプを接着剤で胴に固定したものもある（例えば特許文献２参照。）。
【０００４】
更に、鍔付きの巻真パイプを、胴内側から段付きのパイプ取付け孔に挿通し、パイプ取付け孔の径大穴に防水パッキンを配設するとともに、径大穴を塞ぐ防水固定リングを巻真パイプの外周に圧入又は螺合して、巻真パイプの鍔部と防水固定リングとにより胴を挟んで、巻真パイプを胴に固定したものもある（例えば特許文献２参照。）。
【０００５】
この他に、ねじロック構造を備えた携帯時計において、竜頭が螺合される雄ねじ部とは別の雄ねじ部を巻真パイプの軸方向中間部に設けて、この別の雄ねじ部を胴のパイプ取付け孔にねじ込むとともに、このねじ込みに伴い胴と巻真パイプとの間に防水パッキンを挟み込んだものもある。
【０００６】
【特許文献１】
特開昭５７−４６１８１号公報（第１頁右欄第９行〜第１０行、第１図〜第２図）
【０００７】
【特許文献２】
特開平７−２８７０７７号公報（段落０００２、段落０００３、段落０００８、第１図、第４図、第５図）
【０００８】
【発明が解決しようとする課題】
携帯時計をメンテナンスする場合にはその胴の外面が磨かれることが多い。この場合、特許文献１や特許文献２の段落０００２及び図４に記載のように巻真パイプが胴にろう付けや接着により固定されている構成では、巻真パイプの胴の外側に突出している胴外側端部が、胴の外面を磨く際の邪魔となる。
【０００９】
更に、巻真パイプが胴にろう付けや接着により固定されている構成では、何らかの事情で巻真パイプを交換する必要が生じた場合、巻真パイプ単独の部品交換ができない。それにより、胴を含めた時計外装組立の交換を余儀なくされており、その改善が求められている。
【００１０】
特許文献２の段落０００３、段落０００８、第１図、第５図の構成は、胴に対する巻真パイプの固定力の信頼性向上及び抜け止めを解決課題としているので、巻真パイプを胴から取外すことについては教示していない。
【００１１】
仮に、巻真パイプが取外せるとしても、このパイプの鍔が胴内側にあるので、巻真パイプを胴内側に抜く必要があって、作業上面倒である。しかも、経年使用に伴い胴のパイプ取付け孔と巻真パイプとの間に金属酸化物等が生成される等により、巻真パイプのパイプ取付け孔に対する移動は渋くなっていることが多い。このため、巻真パイプを胴から抜く作業には手間がかかり易い。又、巻真パイプを胴にねじ込んだ構成でも、同様な事情から巻真パイプのねじ込みを外す作業には手間がかかり易い。
【００１２】
又、例えば巻真パイプの胴外側端部に竜頭を螺合して、この竜頭をねじロック（時計の携帯中等に竜頭が不用意に回転されないようにねじの螺合を利用して保持すること。）する携帯時計では、経年使用による摩耗等でねじロックの機能が低下することがある。このような事態に至った場合、胴に巻真パイプがろう付け等で固定されている携帯時計では、巻真パイプ単独の部品交換ができず、胴を含めた時計外装組立の交換を余儀なくされている。
【００１３】
これに対して、胴に巻真パイプをねじ込んだ携帯時計では、原理的には巻真パイプ単独の部品交換が可能であると考えられている。しかし、竜頭を巻真パイプに螺合させたり、この螺合を外したりするたびに、巻真パイプには回転力が作用するので、胴に対する巻真パイプのねじ込みが緩むおそれがある。
【００１４】
この対策として、巻真パイプと胴との螺合部に接着剤を充填することが行われることがある。このように接着止めされる場合には、巻真パイプを胴から取外すことが困難となり、実際上は巻真パイプ単独の部品交換ができなくなる。このため、ねじロック機能が低下した場合に、胴を含めた時計外装組立の交換を余儀なくされるとともに、巻真パイプ周りの胴外面を磨く場合に、巻真パイプが邪魔になる。
【００１５】
更に、胴に巻真パイプをねじ込む構成では、巻真パイプに対する雄ねじ部の加工、及び胴のパイプ取付け孔に対する雌ねじ部の加工が必要であるが、これらのねじ加工は比較的手間が掛かるので、コスト高になる。その上、巻真パイプのねじ込みに伴って、このパイプにはストレスが掛かるので、それに耐える強度が巻真パイプに必要とされる。これにより、巻真パイプの材料や肉厚などの設計上の制約が多くある。
【００１６】
本発明が解決しようとする課題は、巻真パイプ周りのメンテナンスに優れた携帯時計を提供することにある。
【００１７】
【課題を解決するための手段】
前記課題を解決するために、本発明は、胴のパイプ取付け孔を、胴外面に開口する弾性体収容孔部を有した段付き構造とする。パイプ取付け孔に挿通される巻真パイプを、胴の外側からパイプ取付け孔に出し入れ可能に遊挿されかつ胴の内側に配置される胴内側端部を有した挿入部と、胴の外側に配置される胴外側端部と、これらの間に設けられた鍔部とを有した構成とする。更に、弾性体収容孔部の奥面と鍔部との間に弾性体を圧縮状態に挟み込み、弾性体で巻真パイプを胴外側に向けて付勢するととともに、胴内側端部の係合溝にパイプストッパを取外し可能に係合して巻真パイプの抜け止めをしたことを特徴としている。
【００１８】
本発明で、胴及び巻真パイプは金属例えばステンレス鋼等の材料で好適に作ることができるが、これに制約されず合成樹脂製とすることも可能である。本発明で、巻真パイプの挿入部がパイプ取付け孔に「遊挿」されるとは、挿入部がパイプ取付け孔に非圧入状態に挿入されていて、この取付け孔に対する挿入部の胴外側からの出し入れを可能とする挿入状態を指している。挿入状態では、挿入部とパイプ取付け孔との間に若干の隙間（遊び）を設けることは好ましいが、この隙間は実質的になくてもよい。本発明で、パイプストッパは、それ自体単独でストッパ部品として機能できるＣ形やＥ形の止め輪、ナット等を使用できる他、時計ムーブメントを支持するために胴内側（胴の内部空間）に配置される合成樹脂製等の内枠にＵ字状の溝を有した板部を一体に成形し、この板部をパイプストッパとして使用することも可能である。この場合、Ｕ字状の溝を巻真パイプの胴内側端部の係合溝に嵌めることによって、前記板部をパイプストッパとして機能させることが可能である。更に、パイプストッパの種類に応じて、胴内側端部の係合溝は環状の溝やねじ溝などで形成できる。又、本発明で、弾性体には、コイルスプリングを好適に使用できる他、ゴム状弾性体も使用可能であり、或いはこれらを共に使用することも可能である。
【００１９】
本発明では、巻真パイプが弾性体の付勢力で胴外側に向けて付勢された状態を、胴内側に配置したパイプストッパによる抜け止め作用で保持していて、巻真パイプはパイプ取付け孔に固定されることなく胴に取付けられている。このため、メンテナンスにおいてパイプストッパを外した状態では、パイプ取付け孔に遊挿されている巻真パイプを胴外側に容易に引抜くことができる。しかも、この場合、弾性体の付勢力が胴外側に向けて解放されるに伴い、弾性体が自由状態に戻る復元寸法に見合って巻真パイプが胴外側に押出されるので、巻真パイプを引抜く際の初期操作力が小さくて済む。
【００２０】
本発明の好ましい形態では、前記鍔部が前記胴に形成した当たり面に接しているとともに、前記パイプストッパが前記胴の胴内面に接していて、これら鍔部とパイプストッパとが前記パイプ取付け孔の周りを前記胴の内外から挟んでいるので、胴に対する巻真パイプの軸方向のがたつきがない点で優れている。
【００２１】
本発明の好ましい形態では、前記弾性体がコイルスプリングであるので、巻真パイプを引出す際の初期押出しを確実にできる点で優れている。
【００２２】
本発明の好ましい形態では、前記弾性体がゴム製パッキングであるので、弾性体で巻真パイプとパイプ取付け孔との間の防水を兼ねることができる点で優れている。
【００２３】
【発明の実施の形態】
以下、図１及び図２を参照して本発明の一実施形態を説明する。
【００２４】
図１中符号１１は携帯時計としての腕時計を示しており、この時計１１は時計外装組立１２内に図示しない時計ムーブメント等を収容している。時計ムーブメントは、小型電池やぜんまいを動力にしたもの、又は自動巻きのもの、若しくはクォーツ発振モジュールにより文字板上で時刻等をデジタル表示するデジタル時計対応のもの、或いはデジタル時計対応のものとそれ以外のものとを併用したもの等のいずれであってもよい。
【００２５】
時計外装組立１２は、環状をなす金属製の胴１３の厚み方向一面に、カバーガラス１４を液密に装着するとともに、胴１３の厚み方向裏面に、金属等からなる裏蓋１５（図２参照）を液密に装着して形成されている。カバーガラス１４を通して文字板１６などを透視可能であり、裏蓋１５は取外し可能である。
【００２６】
図２に示すように胴１３の一部には、この胴１３を径方向に貫通するパイプ取付け孔１７が開けられている。パイプ取付け孔１７の一端は、胴内側、つまり時計外装組立１２の内部に開口され、パイプ取付け孔１７の他端は、胴外側、つまり時計外装組立１２の外部に開口されている。
【００２７】
パイプ取付け孔１７は、胴１３の胴内面１３ａに開口する小径孔部１７ａと、胴１３の胴外面１３ｂに開口する大径孔部１７ｂと、これらを連通して相互間に設けられた弾性体収容孔部１７ｃとから形成されている。胴内面１３ａとは胴１３の内部空間（胴内側）に臨んだ面を指している。大径孔部１７ｂを介して胴外面１３ｂに開口している弾性体収容孔部１７ｃは、小径孔部１７ａより大径であるが、大径孔部１７ｂより小径である。このため、小径孔部１７ａと弾性体収容孔部１７ｃとの境をなす環状の第１段差により弾性体収容孔部１７ｃの奥面１７ｄが作られているとともに、  大径孔部１７ｂと弾性体収容孔部１７ｃとの境をなす環状の第２段差により大径孔部１７ｂの奥面をなす当たり面１７ｅが作られている。
【００２８】
金属製、例えばステンレス鋼製の巻真パイプ２１が、パイプ取付け孔１７を貫通して胴外側から出し入れ可能に胴１３に取付けられている。
【００２９】
詳しくは、図２に示すように巻真パイプ２１は、軸方向中間部外周に一体に突設された環状の鍔部２２と、この鍔部２２を境に胴内側に配置される挿入部２３と、鍔部２２を境に胴外側に配置される胴外側端部２４とを有している。
【００３０】
鍔部２２は、当たり面１７ｅに接して胴１３に対する巻真パイプ２１の挿入深さを規制するものであり、その径は大径孔部１７ｂより小さく弾性体収容孔部１７ｃより大きい。更に、鍔部２２と当たり面１７ｅとが接した状態で、鍔部２２の外面が胴側面１３ｂと面一的に連続するように、鍔部２２の厚みは大径孔部１７ｂの深さと同じとすることが望ましい。
【００３１】
挿入部２３の最大径は小径孔部１７ａより僅かに小さく、これにより、小径孔部１７ａと挿入部２３との間には図２に示すように僅かな隙間（遊び）が作られるようになっている。挿入部２３は、巻真パイプ２１が当たり面１７ｅで軸方向に位置決めされた際に、鍔部２２から最も隔たった挿入部２３の胴内側端部２３ａが、胴１３の内側に突出して配置される長さを有している。
【００３２】
胴内側端部２３ａの根元には、この端部２３ａの外周に開放する例えば環状の係合溝２５が形成されている。係合溝２５にはＥ形止め輪等からなるパイプストッパ２６が取外し可能に係合されている。パイプストッパ２６は、胴内面１３ａに接して、パイプ取付け孔１７に対する胴外側への巻真パイプ２１の抜け止めとして機能している。更に、パイプストッパ２６は、鍔部２２とともにパイプ取付け孔１７の周りを胴１３の内外から挟んで、胴１３に巻真パイプ２１を取付けている。
【００３３】
挿入部２３の外周には、弾性体収容孔部１７ｃに収容される弾性体例えばコイルスプリング２７が巻付けられている。コイルスプリング２７は、その一端を奥面１７ｄで受けられ、他端を鍔部２２で受けられて、これら奥面１７ｄと鍔部２２とで圧縮状態に挟まれている。このため、圧縮状態のコイルスプリング２７の反発力により、巻真パイプ２１は胴外側に向けて付勢されて、それに伴い、パイプ取付け孔１７が開口されている胴内面１３ａへのパイプストッパ２６の接触が維持されている。
【００３４】
図２中符号２８はゴム製の環状防水パッキンを示している。このパッキン２８は、挿入部２３の外周に設けた環状溝に嵌合して装着されていて、挿入部２３と小径孔部１７ａとの間に弾性変形した状態で挟まれていて、パイプ取付け孔１７と巻真パイプ２１との間の防水を担っている。
【００３５】
胴１３への巻真パイプ２１の取付けは次の手順で行われる。まず、弾性体収容孔部１７ｃにコイルスプリング２７を胴外側から収容した状態、又は、巻真パイプ２１の挿入部２３の外周にコイルスプリング２７を嵌合させた状態で、胴外側から挿入部２３をパイプ取付け孔１７に挿通させる。これに伴い、自由状態のコイルスプリング２７が圧縮されるとともに、挿入部２３の胴内側端部２３ａが胴１３の内側（胴１３の内側空間）に突出する。パイプ取付け孔１７への挿入部２３の挿入は、鍔部２２が大径孔部１７ｂの奥面からなる当たり面１７ｅに当たることにより規制され、この規制に伴い胴内側端部２３ａの係合溝２５が胴内面１３ａに対して適正に位置決めされる。次に、前記位置決め下において、パイプストッパ２６を胴内面１３ａに沿わせながら係合溝２５に嵌め付ける。
【００３６】
それにより、パイプ取付け孔１７に挿入された巻真パイプ２１が胴１３に取付けられる。この場合、巻真パイプ２１の挿入部２３はパイプ取付け孔１７に打ち込み作業を伴って圧入されないので、挿入作業が容易である。したがって、巻真パイプ２１の取付け作業性がよい。なお、胴１３に巻真パイプ２１が取付けられた状態で、このパイプ２１の胴外側端部２４は、胴１３の胴外面１３ｂより外側に突出して配置される。
【００３７】
胴１３に取付けられた巻真パイプ２１は、コイルスプリング２７の付勢力で胴外側に向けて付勢された状態を、パイプストッパ２６による抜け止め作用で保持されている。したがって、巻真パイプ２１はパイプ取付け孔１７に固定されることなく胴１３に取付けられている。
【００３８】
このため、既述の組立と逆の手順でメンテナンスの際等に胴１３から巻真パイプ２１を取外すことが可能である。この取外しは、裏蓋１５を取外した状態で、胴内側のパイプストッパ２６を外して、パイプ取付け孔１７に遊挿されている巻真パイプ２１を胴外側に引抜くことで実施できる。この場合、パイプストッパ２６の取外しにより巻真パイプ２１の抜け止め機能が消失するので、コイルスプリング２７の付勢力が胴外側に向けて解放される。これに伴い、少なくともコイルスプリング２７が自由状態に戻る復元寸法に見合って、巻真パイプ２１が胴外側に押出される。このため、巻真パイプ２１を引抜く際の初期操作力が小さくて済む。しかも、コイルスプリング２７はゴム状弾性体に比較して大きな復元寸法を得るように圧縮できるので、前記初期押出力を強く、かつ初期押出し量を多く確保できる。このため、巻真パイプ２１の移動が仮に渋る状況であっても、確実な初期押出しを期待できる。したがって、この後、小さな操作力で容易に巻真パイプ２１を胴外側に引抜くことが可能である。
【００３９】
図１中符号３１で示す竜頭は、金属製であって、図２に示すように竜頭主部３２と、この中央部から軸方向に一体に延びる竜頭軸部３３とを有している。竜頭主部３２には、竜頭軸部３３の根元側部分を囲む環状の逃げ溝３４が設けられている。この逃げ溝３４は、巻真パイプ２１の胴外側端部２４が挿入される部分である。
【００４０】
竜頭軸部３３は胴外側から巻真パイプ２１に挿入されている。この軸部３３の外周に形成された環状溝には、ゴム製の環状防水パッキン３５が取付けられている。防水パッキン３５は、巻真パイプ２１の内周面と竜頭軸部３３の外周面との間に圧縮状態に弾性変形して挟まれ、これらの間の防水を担っている。竜頭軸部３３には胴内側から時計ムーブメントの巻真３６が連結されている。したがって、竜頭３１を所定の状態で回転させることにより、時計ムーブメントを操作して時刻合わせ等が行われるようになっている。
【００４１】
以上の構成を備えた携帯時計１１をメンテナンスする場合には、その竜頭３１を既知の方法で外した状態で、既述のように胴１３から巻真パイプ２１を取外すことができる。
【００４２】
このため、メンテナンスにおいて巻真パイプ２１の交換が必要な場合には、巻真パイプ２１を単独に交換可能である。これにより、修理の依頼者にとっては、胴１３等を含めた時計外装組立１２の交換を余儀なくされることなく、部品交換で対応することが可能となるので、費用負担を少なくできる。更に、巻真パイプ２１の交換を伴うか否かに拘らず、メンテナンスにおいて胴外面１３ｂをバフ研摩等により磨いて胴１３をきれいにする場合に、巻真パイプ２１を容易に取外して、その胴外側端部２４が磨き作業の邪魔にならない状態で行うことが可能である。このため、磨き作業がし易く、かつ、胴外面１３ｂを確実に磨くことができる。
【００４３】
又、組立てられた状態では、巻真パイプ２１に取付けられたパイプストッパ２６と巻真パイプ２１の鍔部２２とで、胴１３のパイプ取付け孔１７の周りが内外から挟まれている。このため、携帯時計１１が落下した場合等に衝撃が加わっても、胴１３に対して巻真パイプ２１が軸方向にがたつくことを防止できる。
【００４４】
更に、既述のように胴１３への巻真パイプ２１の取付けにおいては、巻真パイプ２１をねじ込む必要がないので、巻真パイプ２１に胴１３への取付けに伴うストレスが掛かることが抑制される。このため、巻真パイプ２１に必要とされる強度なども下げることができるに伴い、巻真パイプ２１の材料や肉厚などの設計上の自由度を大きくすることが可能である。しかも、パイプ取付け孔１７を段付き孔とする加工は、ねじ部を作る加工に比較して容易であり、巻真パイプ２１に対する雄ねじ部の加工、及びパイプ取付け孔１７に対する雌ねじ部の加工が不要となるので、加工コストを低減することが可能である。
【００４５】
図３は本発明の第２実施形態を示している。第２実施形態は、基本的には第１実施形態と同じであるので、同じ部分については第１実施形態と同一符号を付してその説明を省略し、以下、第１実施形態とは異なる部分について説明する。
【００４６】
第２実施形態では、コイルスプリングに代えてゴム製の環状パッキング１２７を採用している。このパッキング１２７は、巻真パイプ２１を胴外側に向けて付勢する弾性体及び防水パッキンとして機能するものであり、このため、第２実施形態では第１実施形態で採用した防水パッキン２８は省略してある。図３中寸法Ａはパッキング１２７の自由状態での厚みを示している。
【００４７】
以上説明した点以外の構成は第１実施形態と同じである。そのため、この第２実施形態でも、第１実施形態と同じ作用を得て本発明の課題を解決できる。しかも、第２実施形態は、弾性体として機能するパッキング１２７が、胴１３と巻真パイプ２１との間の防水を兼ねている。これにより、部品点数を削減できるとともに、挿入部２３に対する溝加工を少なくできるので、加工コストを低減できる点で好ましい。
【００４８】
本発明は前記両実施形態には制約されるものではなく、例えば通常の腕時計以外に懐中時計、或いは高圧防水機能を有するダイバーズウォッチ等にも適用可能である。さらに、ねじロック構造を備える携帯時計にも適用可能である。この場合、例えば、大径孔部１７ｂとこれに嵌合される鍔部２２とを共に多角形等の非円形として、これらの係合により巻真パイプ２１を回り止めするとともに、胴外側端部２４の外周に雌ねじ部を形成し、この雄ねじ部に取外し可能に螺合される雌ねじ部を竜頭主部３２に内周面に形成して、これらねじ部の螺合により、携帯時に竜頭３１が不用意に回転されないようにすればよい。又、当たり面１７ｅは胴外面１３ｂで兼ねることもできる。
【００４９】
【発明の効果】
本発明によれば、パイプ取付け孔に遊挿して胴に固定することなく設けられ、かつ、弾性体で付勢された巻真パイプを、メンテナンスにおいてパイプストッパを外して胴外側に引抜くことが可能である。これにより、巻真パイプを引抜く際の初期操作力が小さくて済むとともに、胴外面を磨く場合に巻真パイプが邪魔にならず、巻真パイプ単独の部品交換が可能となるので、巻真パイプ周りのメンテナンスが容易な携帯時計を提供できる。
【００５０】
胴の当たり面又は胴内面に接する巻真パイプの鍔部とパイプストッパとでパイプ取付け孔の周りを胴の内外から挟んだ構成を備えた発明によれば、胴に対する巻真パイプの軸方向のがたつきを抑制可能な携帯時計を提供できる。
【００５１】
コイルスプリング製の弾性体を備えた発明によれば、メンテナンスにおいて巻真パイプを引出す際の初期押出しが確実な携帯時計を提供できる。
【００５２】
ゴム製パッキングからなる弾性体を備えた発明によれば、この弾性体で巻真パイプとパイプ取付け孔との間の防水を兼ねることが可能な携帯時計を提供できる。
【図面の簡単な説明】
【図１】本発明の第１実施形態に係る携帯時計を示す正面図。
【図２】図１中Ｆ２−Ｆ２線に沿って巻真パイプ周りを示す断面図。
【図３】本発明の第２実施形態に係る携帯時計の巻真パイプ周りを示す断面図。
【符号の説明】
１１・・・携帯時計
１２・・・時計外装組立
１３・・・胴
１３ａ・・・胴内面
１３ｂ・・・胴外面
１７・・・パイプ取付け孔
１７ｃ・・・パイプ取付け孔の弾性体収容孔部
１７ｄ・・・弾性体収容孔部の奥面
１７ｅ・・・胴の当たり面
２１・・・巻真パイプ
２２・・・巻真パイプの鍔部
２３・・・巻真パイプの挿入部
２３ａ・・・挿入部の胴内側端部
２４・・・巻真パイプの胴外側端部
２５・・・係合溝
２６・・・パイプストッパ
２７・・・コイルスプリング（弾性体）
１２７・・・パッキング（弾性体）
【図１】
2004271364.tif 000003
【図２】
2004271364.tif 000004
【図３】
2004271364.tif 000005